(57)【要約】【課題】  苗木を損傷しないように一定の角度でカットすることは難しく、熟練を要し、作業性も悪く、怪我の危険もあった。【解決手段】  本件出願の接木用苗木カッターは、片手操作で開閉可能な二本の把持片の先に切断部が設けられ、切断部は把持片に対して下向き傾斜又は上向き傾斜に設けられ、一方の切断部には切断刃が備えられ、他方の切断部には苗木支持部が設けられ、苗木支持部には切断刃が進入できる刃進入部が設けられ、両把持片を閉じると苗木が苗木支持部に支持されると共に切断刃が刃進入部内に進入して苗木を切断できるようにした。前記刃進入部をスリット又は開口部とした。また、前記苗木支持部に切断部を縦断する縦溝を設けて切断時に苗木の茎を支持できるようにし、縦溝を斜めに形成して苗木の茎に沿って宛がうことができるようにした。【選択図】図１
2009082056.tif 000002
【特許請求の範囲】
【請求項１】
片手操作で開閉可能な二本の把持片の先に切断部が設けられ、切断部は把持片に対して下向き傾斜又は上向き傾斜に設けられ、一方の切断部には切断刃が備えられ、他方の切断部には苗木支持部が設けられ、苗木支持部には切断刃が進入できる刃進入部が設けられ、両把持片を閉じると苗木が苗木支持部に支持されると共に切断刃が刃進入部内に進入して苗木を切断できることを特徴とする接木用苗木カッター。
【請求項２】
請求項１記載の接木用苗木カッターにおいて、刃進入部をスリット又は開口部としたことを特徴とする接木用苗木カッター。
【請求項３】
請求項１又は請求項２記載の接木用苗木カッターにおいて、苗木支持部に苗木の茎を支持できる縦溝が切断部に対して縦断方向に形成されたことを特徴とする接木用苗木カッター。
【請求項４】
請求項３記載の接木用苗木カッターにおいて、縦溝が苗木の茎に沿って宛がうことのできる角度で斜め縦向きに形成されたことを特徴とする接木用苗木カッター。
【発明の詳細な説明】
【技術分野】
【０００１】
本発明は、接木する苗木（台木、穂木）を切断するための接木用苗木カッターに関するものである。
【背景技術】
【０００２】
従来は、接木用苗木を切断する場合、切り口を３０°、４５°といった所定傾斜角度になるようにカミソリ刃によって一本一本手作業で切断していた。
【発明の開示】
【発明が解決しようとする課題】
【０００３】
従来のカミソリの刃で切断する手作業では次のような課題があった。
（１）勘で切断角度を決めてカットするため切断角度にバラツキがある。作業者が多くなればなるほど個人差があるためバラツキが多くなる。
（２）熟練者と未熟練者では作業能率も作業精度にも差が出る。熟練者はトレー１枚（１２８本分）の苗木の切断に約４０分要するが、未熟練者の場合それ以上の時間がかかってしまう。また、未熟練者では切断面がきれいになりにくく、又、不ぞろいになりやすい。
（３）切断角度にバラツキがあると接木しにくくなり、接木の失敗も出やすくなり作業効率も苗木の歩留まり（活着率）も低下する。
（４）多数本の接木作業には膨大な手間がかかり、多くの作業者が必要になり、苗木がコスト高になる一因となっていた。
（５）カミソリを手に持って切断作業するため作業者が怪我をし易く、安全面での課題があった。
【課題を解決するための手段】
【０００４】
本発明は誰にでも手軽に使用でき、熟練者であっても未熟練者であっても同じ角度で効率よく苗木を切断でき、失敗も怪我もしにくい接木用苗木カッターを提供するものである。
【０００５】
本件出願の接木用苗木カッターは、片手操作で開閉可能な二本の把持片の先に切断部が設けられ、切断部は把持片に対して下向き傾斜又は上向き傾斜に設けられ、一方の切断部には切断刃が備えられ、他方の切断部には苗木支持部が設けられ、苗木支持部には切断刃が進入できる刃進入部が設けられ、両把持片を閉じると苗木が苗木支持部に支持されると共に切断刃が刃進入部内に進入して苗木を切断できるようにした。前記刃進入部をスリット又は開口部とした。また、前記苗木支持部に切断部を縦断する縦溝を設けて切断時に苗木の茎を支持できるようにし、縦溝を斜めに形成して苗木の茎に沿って宛がうことができるようにした。
【発明の効果】
【０００６】
本件出願の接木用苗木カッターは、次の効果がある。
（１）二本の把持片が片手操作で開閉可能であるため、それを片手に持ち、他方の手に苗木を持って切断できるので、苗木を切断しやすい。
（２）切断部を把持片に対して斜め下向き又は斜め上向きに傾斜させたため、把持片を水平に持っても把持部が育苗トレーや育苗ポットに育苗されている苗木に沿って斜めになり、苗木に宛がいやすいため切断作業も容易になり、作業効率も向上する。又、一定角度に切断できる。
（３）切断部に切断刃と刃進入部のある苗木支持部を設け、両把持片を閉じると切断刃が刃進入部に進入して苗木を切断できるので、苗木の切断面がぎざぎざにならず綺麗になる。このため、接木の失敗も少なくなる。
（４）刃進入部をスリット又は開口部としたので、苗木をカットし易くなり、苗木の切断面がより容易に綺麗になる。このため、接木の活着率が向上し、失敗もより少なくなる。
（５）苗木の茎を保持できる縦溝を設けたので切断時に苗木を縦溝内に位置決めして切断することができ、切断時に苗木が安定し、多数本の苗木を一定角度で正確に切断可能となる。また、作業に熟練を要せず、誰が作業を行っても苗木を一定角度で正確に切断できる。
（６）縦溝が切断部を縦断しているので、苗木を切断した切断刃はそのまま刃進入部内に進入して苗木を確実に切断でき、苗木の薄皮を残さず切断することもできる。
（７）縦溝が苗木の茎に沿って宛がうことのできる角度で斜め縦向きに形成されたので、把持片を傾けなくとも育苗トレーや育苗ポットに育苗されている苗木に宛がいやすくなり、苗木が安定する。
（８）刃の交換も容易且つ安全に行うことができ、一つの接木用苗木カッターを長期に亘って使用することができる。
【発明を実施するための最良の形態】
【０００７】
（実施形態１）
本発明の接木用苗木カッターの実施形態の一例を図１〜図３に基づいて説明する。この接木用苗木カッター１は、図１に示すように、片手操作で開閉可能な二本の把持片２、３を備え、夫々の把持片２、３の先に切断部２ａ、３ａが設けられ、一方（図１中親指側）の切断部２ａには切断刃４が備えられ、他方（図１中人差し指側）の切断部３ａには、前記切断刃４が進入できるスリット５が設けられ、更に、苗木の茎６を支持できる縦溝７が切断部３ａ内面を上下に貫通して形成されている。この接木用苗木カッター１では、図３に示すように、苗木（台木、穂木）の茎６を縦溝７によって支持（位置合わせ）し、その状態で両把持片２、３を閉じることにより、切断刃４で押される茎６が縦溝７内に支持されると共に切断刃４がスリット５に進入して茎６を切断できるようにしてある。
【０００８】
前記把持片２、３は、いずれも図１に示すように、片手で把持して操作を行う把持部分の先に切断部２ａ、３ａが設けられた部材である。図１に示す二本のうち一方（図１中人差し指側）の把持片３の後端部はＬ字状に横向きに曲げて形成されており、他方の把持片２（図１中親指側）の後端部と、連結部８を中心に回動できるように連結されている。本例では、図１に示すように、両把持片２、３は並行に連結されている。把持片２、３の連結は、図２に示すように、把持片３の後端部に開口された孔３ｂと、把持片２の後端部に開口された孔２ｂを重ね、両孔２ｂ、３ｂ内に金属筒８ａを挿入し、ネジ８ｂで係止して行われている。図３に示すように、孔２ｂ、３ｂ内に金属筒８ａを挿入することにより、連結部分のガタツキを解消するとともに、孔２ｂ、３ｂ部分の磨耗を防止し、長期に亘って使用しても把持片２、３をスムーズに開閉できるようになる。また、二本の把持片２、３の間にはスプリング９が設けられ、二本の把持片２、３同士を開いた状態で保持できるようにしてある。また、一方の把持片２の内側面からはガイド突起１０が内側に突出させて設けられ、他方の把持片３の内側面にはガイド溝１１が形成され、前記ガイド突起１０の先端部がガイド溝１１内にスライド可能に差込まれて、両把持片２、３が縦方向にずれないようにガイドするとともに、両把持片２、３同士の開閉をガイドして開きすぎや閉じすぎを規制できるようにしている。また、一方の把持片３の内側面からボルト１２を突設させて、両把持片２、３同士の閉じすぎを規制できるようにもしてある。両把持片２、３の外側面には、滑り止め溝１３が形成されている。把持片２、３は硬質樹脂製、金属製等、任意の素材製とすることができる。
【０００９】
図１に示すように、把持片２、３の先には切断部２ａ、３ａが設けられている。本例では、切断部２ａ、３ａは、いずれも図１に示すように、把持片２、３の本体部分に対して下向き傾斜に設けられている。切断部２ａ、３ａの傾斜角度は、例えば把持片２、３の本体部分に対して下向きに３０°傾斜させる等、切断部２ａ、３ａ間で同じ傾斜角度とされていれば、任意の傾斜角度とすることができる。また、切断部２ａ、３ａを把持片２、３に対して上向き傾斜とすることもできる。この切断部２ａ、３ａの傾斜により、植物の茎６を所定角度でカットすることができる。
【００１０】
図３に示すように、一方の把持片２の切断部２ａは、把持片２の先端部分に形成された溝１４内に下向き傾斜で取り付けられた刃取付具１５と、その刃取付具１５の先端付近上面に取り付けられた切断刃４とからなる。前記溝１４は、前記刃取付具１５を嵌め込み可能な幅の溝であって、刃取付具１５を嵌め込んで取り付けると刃取付具１５が所定角度で下向き傾斜になるように形成されている。前記刃取付具１５は、図３に示すように、前記溝１４に嵌め込み可能な金属製の細長板状部材であって、後端付近にスライド溝１６が形成されたものである。刃取付具１５の先端部分の上面には切断刃４を取り付け可能としてある。刃取付具１５は、溝１４に嵌め込んで、スライド溝１６に止め具（ネジ）１７を差込んで固定して把持片２に所定角度で取り付けられている。前記切断刃４には、カミソリ刃等の薄い刃が用いられている。切断刃４は、刃止め具（ネジ）１８によって着脱可能に刃取付具１５の先端付近に取り付けられている。切断刃４は、その刃先の内側への突出長を先端側４ａを短く、後端側４ｂを長くして、スリット５に対して角度が付くようにし、スリット５に後端側４ｂから先に進入できるようにして、茎６をスムーズに切断できるようにすることもできる。その場合、切断刃４の刃取付具１５への取り付け角度を調整して切断刃４に角度をつけることも、予め刃取付具１５の先端部分を左右に角度をつけて形成しておくことによって切断刃４に角度をつけることもできる。スライド溝１６に沿って刃取付具１５を前後スライドさせて、ネジ１７による固定位置を変えることで、切断刃４の切断位置を変えることもできる。従って、一枚の切断刃４を、切れ味が悪くなった部分を切断位置からずらし、切れ味の良い部分を切断位置にスライドさせることができ、常時良い切れ味で茎６の切断ができるようにすることができる。
【００１１】
図３に示すように、他方の把持片３の切断部３ａは、把持片３の本体部分に対して下向き傾斜で先細りに形成されて、トレイ等に並べて生育されている苗木の茎６の間に配置ししてある。切断部３ａには、前記切断刃４が進入可能な刃進入部としてのスリット５が形成されている。スリット５は、前記切断刃４が進入可能な幅、長さとされ、切断部３ａの内面から外面まで貫通して設けられている。また、把持片３の切断部３ａ内面には、図３に示すように、苗木の茎６を保持できる縦溝７が形成されている。この縦溝７は、切断部３ａ内面を上下に貫通して形成されている。この縦溝７は、図３に示すように縦向きの苗木の茎６に沿って宛がうことのできる傾斜角度で、切断部３ａに対して斜め縦向きに形成されている。従って、図３に示すように、切断部３ａを茎６に宛がうと、縦溝７内に、縦向きの苗木の茎６を支持することができ、その状態で両把持片２、３を閉じることにより、縦溝７内に支持された茎６が切断刃４に押されると共に、切断刃４がスリット５内に進入して茎６を切断することができる。
【００１２】
（実施形態２）
図４に示すように、切断部３ａに、前記実施形態１記載のスリット５に代えて、切断部３ａの上半分を切除して形成した開口部２０を設け、把持片２、３を閉じた時に切断刃４が開口部２０の内側に入りこんで、苗木の茎６を切断可能とすることもできる。切断部３ａに設けられる刃進入部は、切断刃４が入り込める構成であれば、前記したものの他、任意の構成とすることができる。
【００１３】
（実施形態３）
切断部３ａの内側に縦溝７を複数本形成して、それらいずれの縦溝７によっても茎６を支持できるようにし、切断刃４をスライドさせることなく、切断刃４の切断位置を代えて茎６を切断できるようにすることもできる。この場合、切断刃４を前後スライドさせる必要がなくなる。また、複数本形成する縦溝７の径を夫々変えて、径の異なる複数種類の茎６を支持できるようにすることもできる。
【００１４】
（実施形態４）
切断部２ａは、図１に示すような、把持片２に取り付けた刃取付具１５に切断刃４を備える構成には限られず、図１中他方の切断部３ａと同様に、把持片２の先端部を下向き傾斜に変形させ、その内側に切断刃４を備える構成とする等、任意の構成とすることができる。
【００１５】
（実施形態５）
本発明の接木用苗木カッターでは、二本の把持片は、片手操作で開閉可能であれば、例えば後端部同士を連結してＶ字状にする等、任意の構成とすることもできる。
【産業上の利用可能性】
【００１６】
本発明の接木用苗木カッターは、接木用の苗木（台木、穂木）の切断には限られず、その他の植物や棒状の部材の切断等にも応用することができる。
【図面の簡単な説明】
【００１７】
【図１】本発明の接木用苗木カッターの実施形態の一例を示す斜視図。
【図２】図１に示す接木用苗木カッターを示す分解斜視図。
【図３】図１に示す接木用苗木カッターの切断部を示す部分斜視説明図。
【図４】本発明の接木用苗木カッターの実施形態の他の一例を示す部分斜視説明図。
【符号の説明】
【００１８】
１  苗木カッター
２  把持片
２ａ  切断部
２ｂ  孔
３  把持片
３ａ  切断部
３ｂ  孔
４  切断刃
５  スリット
６  （苗木の）茎
７  縦溝
８  連結部
８ａ  金属筒
８ｂ  ネジ
９  スプリング
１０  ガイド突起
１１  ガイド溝
１２  ボルト
１３  滑り止め溝
１４  溝
１５  刃取付具
１６  スライド溝
１７  止め具（ネジ）
１８  刃止め具（ネジ）
２０  開口部
【図１】
2009082056.tif 000003
【図２】
2009082056.tif 000004
【図３】
2009082056.tif 000005
【図４】
2009082056.tif 000006